(57)【要約】  本発明の１つの例示の実施の形態に係るディジタル作品の販促用のコンピュータサーバを提供する。コンピュータサーバはディジタル作品を出版者から第１のネットワーク接続により受信するよう構成する。コンピュータサーバは、プレミアム購入者への第２のネットワーク接続により、ディジタル作品のコピーをプレミアム購入者にプレミアム価格で売るよう構成する。コンピュータサーバは、次の購入者への第３のネットワーク接続により、ディジタル作品のコピーを次の購入者にプレミアム価格または通常価格で売るよう構成する。コンピュータサーバは、次の購入者への前記販売に応じて、プレミアム購入者に報酬を与えるよう構成する。
2013524353.tif 000002
【特許請求の範囲】
【請求項１】
ディジタル作品の販促用のコンピュータサーバであって、前記コンピュータサーバは、
ディジタル作品を出版者から第１のネットワーク接続により受信し、
プレミアム購入者への第２のネットワーク接続により、前記ディジタル作品のコピーを前記プレミアム購入者にプレミアム価格で売り、
次の購入者への第３のネットワーク接続により、前記ディジタル作品のコピーを前記次の購入者に前記プレミアム価格または通常価格で売り、
前記次の購入者への販売に応じて、前記プレミアム購入者に報酬を与える、
よう構成するコンピュータサーバ。
【請求項２】
前記第１のネットワーク接続、前記第２のネットワーク接続、および前記第３のネットワーク接続はインターネット接続を含む、請求項１記載のコンピュータサーバ。
【請求項３】
前記ディジタル作品はオーディオトラック、ビデオ、または本の少なくとも１つを含む、請求項１記載のコンピュータサーバ。
【請求項４】
前記報酬は前記次の購入者への販売からの収入の一部を含む、請求項１記載のコンピュータサーバ。
【請求項５】
前記報酬は償還可能なクレジットを含む、請求項１記載のコンピュータサーバ。
【請求項６】
更に、
前記プレミアム購入者への前記ディジタル作品の販売に応じて、前記販売からの収入の一部を前記出版者に与え、
前記次の購入者への前記ディジタル作品の販売に応じて、前記販売からの収入の一部を前記出版者に与える、
よう構成する請求項１記載のコンピュータサーバ。
【請求項７】
前記次の購入者は第２のプレミアム購入者であり、更に、
前記ディジタル作品の前記コピーを前記第２のプレミアム購入者に前記プレミアム価格で売り、
第２の次の購入者への第４のネットワーク接続により、前記ディジタル作品のコピーを前記第２の次の購入者に売り、
前記第２の次の購入者への販売に応じて、報酬を前記プレミアム購入者に与え、
前記第２の次の購入者への販売に応じて、報酬を前記第２のプレミアム購入者に与える、
よう構成する請求項１記載のコンピュータサーバ。
【請求項８】
前記次の購入者は通常購入者であり、更に、
前記ディジタル作品の前記コピーを前記通常購入者に前記通常価格で売り、
第２の次の購入者への第４のネットワーク接続により、前記ディジタル作品のコピーを前記第２の次の購入者に売り、
前記第２の次の購入者への販売に応じて、報酬を前記プレミアム購入者に与えるが前記通常購入者には与えない、
よう構成する請求項１記載のコンピュータサーバ。
【請求項９】
更に、
前記プレミアム価格での販売が最大量に達するまで前記ディジタル作品の追加のコピーを前記プレミアム価格だけで売る、
よう構成する請求項１記載のコンピュータサーバ。
【請求項１０】
更に、
前記プレミアム購入者が前記ディジタル作品のコピーを前記プレミアム価格で前に購入したことがあるかどうかを判定し、
前記プレミアム購入者がコピーを前記プレミアム価格で前に購入したことがない場合は前記ディジタル作品の前記コピーを前記プレミアム購入者に前記プレミアム価格だけで売る、
よう構成する請求項１記載のコンピュータサーバ。
【請求項１１】
ディジタル作品の販促用のコンピュータプログラム製品であって、前記コンピュータプログラム製品は非遷移性のコンピュータ読取り可能媒体上に具体化され、前記コンピュータプログラム製品は、
ディジタル作品を出版者から第１のネットワーク接続により受信するためのコンピュータコードと、
プレミアム購入者への第２のネットワーク接続により、前記ディジタル作品のコピーを前記プレミアム購入者にプレミアム価格で売るためのコンピュータコードと、
次の購入者への第３のネットワーク接続により、前記ディジタル作品のコピーを前記次の購入者に前記プレミアム価格または通常価格で売るためのコンピュータコードと、
前記次の購入者への販売に応じて、前記プレミアム購入者に報酬を与えるためのコンピュータコードと、
を含むコンピュータプログラム製品。
【請求項１２】
前記第１のネットワーク接続、前記第２のネットワーク接続、および前記第３のネットワーク接続はインターネット接続を含む、請求項１１記載のコンピュータプログラム製品。
【請求項１３】
前記ディジタル作品はオーディオトラック、ビデオ、または本の少なくとも１つを含む、請求項１１記載のコンピュータプログラム製品。
【請求項１４】
前記報酬は前記次の購入者への販売からの収入の一部を含む、請求項１１記載のコンピュータプログラム製品。
【請求項１５】
前記報酬は償還可能なクレジットを含む、請求項１１記載のコンピュータプログラム製品。
【請求項１６】
更に、
前記プレミアム購入者への前記ディジタル作品の販売に応じて、前記販売からの収入の一部を前記出版者に与えるためのコンピュータコードと、
前記次の購入者への前記ディジタル作品の販売に応じて、前記販売からの収入の一部を前記出版者に与えるためのコンピュータコードと、
を含む請求項１１記載のコンピュータプログラム製品。
【請求項１７】
前記次の購入者は第２のプレミアム購入者であり、また更に、
前記ディジタル作品の前記コピーを前記第２のプレミアム購入者に前記プレミアム価格で売るためのコンピュータコードと、
第２の次の購入者への第４のネットワーク接続により、前記ディジタル作品のコピーを前記第２の次の購入者に売るためのコンピュータコードと、
前記第２の次の購入者への販売に応じて、報酬を前記プレミアム購入者に与えるためのコンピュータコードと、
前記第２の次の購入者への販売に応じて、報酬を前記第２のプレミアム購入者に与えるためのコンピュータコードと、
を含む請求項１１記載のコンピュータプログラム製品。
【請求項１８】
前記次の購入者は通常購入者であり、更に、
前記ディジタル作品前記のコピーを前記通常購入者に前記通常価格で売るためのコンピュータコードと、
第２の次の購入者への第４のネットワーク接続により、前記ディジタル作品のコピーを前記第２の次の購入者に売るためのコンピュータコードと、
前記第２の次の購入者への販売に応じて、報酬を前記プレミアム購入者に与えるが前記通常購入者には与えないためのコンピュータコードと、
を含む請求項１１記載のコンピュータプログラム製品。
【請求項１９】
更に、
前記プレミアム価格での販売が最大量に達するまで前記ディジタル作品の追加のコピーを前記プレミアム価格だけで売るためのコンピュータコード
を含む請求項１１記載のコンピュータプログラム製品。
【請求項２０】
更に、
前記プレミアム購入者が前記ディジタル作品のコピーを前記プレミアム価格で前に購入したことがあるかどうかを判定するためのコンピュータコードと、
前記プレミアム購入者がコピーを前記プレミアム価格で前に購入したことがない場合は前記ディジタル作品の前記コピーを前記プレミアム購入者に前記プレミアム価格だけで売るためのコンピュータコードと、
を含む請求項１１記載のコンピュータプログラム製品。
【発明の詳細な説明】
【技術分野】
【０００１】
（関連出願の相互参照）
本出願は、２０１０年４月２日出願の同時継続米国特許仮出願第６１／３２０，６０１号「製品販促者報酬プロセス（ＰＲＯＤＵＣＴ  ＰＲＯＭＯＴＥＲ  ＲＥＷＡＲＤＳ  ＰＲＯＣＥＳＳ）」に関しかつその出願日の利益の権利を主張するものであり、その全内容を全ての目的に援用する。
【０００２】
本発明はコンピュータサーバに関するもので、より特定すると、ディジタル作品の流通のためのコンピュータサーバに関するものである。
【背景技術】
【０００３】
インターネットにより、実質的に全ての人に音楽出版が利用できるようになった。電子的流通を用いればコストが非常に小さくなるので、音楽家はほとんど初期コストなしにオンライン販売で音楽を容易に提供することができる。
【先行技術文献】
【特許文献】
【０００４】
【特許文献１】米国特許仮出願第６１／３２０，６０１号
【発明の概要】
【発明が解決しようとする課題】
【０００５】
しかし、資金が限られる音楽家にとって大衆の注意を惹くことはかなり困難である。音楽販売用のウエブサイトや他のインターネットサイトはあるが、一人の音楽家がサイト上で全ての他の音楽家より目立つことは困難である。あまり名の知られていない音楽家はサイトのユーザの注意を惹く力が小さいので、音楽を売る力が小さい。
大きな資金を必要とせずに音楽家が大衆の注意を自分の作品に惹き付けることができれば非常に有利である。
【課題を解決するための手段】
【０００６】
したがって、本発明の一つの例示の実施の形態ではディジタル作品の販促用（ｐｒｏｍｏｔｉｏｎ）のコンピュータサーバを提供する。コンピュータサーバはディジタル作品を出版者から第１のネットワーク接続により受信するよう構成する。コンピュータサーバは、プレミアム（ｐｒｅｍｉｕｍ）購入者への第２のネットワーク接続により、ディジタル作品のコピーをプレミアム購入者にプレミアム価格で売るよう構成する。コンピュータサーバは、次の購入者への第３のネットワーク接続により、ディジタル作品のコピーを次の購入者にプレミアム価格または通常価格で売るよう構成する。コンピュータサーバは、次の購入者への販売に応じて、プレミアム購入者に報酬を与えるよう構成する。
【図面の簡単な説明】
【０００７】
【図１】本発明の或る例示の実施の形態に係るディジタル作品販促サーバおよびこれに関するトランザクションを示す。
【図２】本発明の実施の或る例示の形態に係るディジタル作品の販売に含まれるステップを示す。
【発明を実施するための形態】
【０００８】
以下の説明では、本発明を十分に理解できるように多くの特定の詳細を示す。しかし、当業者が認識するように、本発明はかかる特定の詳細を用いずに実施してよい。他の場合には、不必要な詳細のために本発明が分かりにくくなるのを防ぐために、周知の要素は略図またはブロック図形式で図示した。更に、多くの場合に、特定の詳細などは、本発明を完全に理解するのにかかる詳細が必要と見なされない限り、また当業者の理解の範囲内と見なされる限り、省略した。
【０００９】
本発明について主として音楽に関して記述する。しかし、これは映画、本、写真、およびコンピュータネットワークを通して提供できる任意の他のタイプのディジタル作品についても適用される。ディジタル作品販促サーバの機能は特にプログラムされたコンピュータにより行ってよい。ディジタル作品販促サーバは１台または複数台の特にプログラムされたコンピュータを含んでよい。
【００１０】
ディジタル作品販促サーバとして機能するコンピュータをプログラムする１つの方法は、コンピュータ読取り可能媒体（非遷移性（ｎｏｎ-ｔｒａｎｓｉｔｏｒｙ）のコンピュータ読取り可能媒体を含む）上にコード化されたコンピュータ読取り可能命令をコンピュータに提供することである。コンピュータは、コンピュータ読取り可能命令を電子的データプロセッサで実行することにより、ディジタル作品販促サーバとして動作してよい。また、インターネットはディジタル作品販促サーバ用として好ましいコンピュータネットワークであるが、必要な機能性を提供する任意の他のコンピュータネットワークを用いることができる。
【００１１】
図１は、例示のディジタル作品販促サーバ１０１を有するコンピュータネットワーク１００を示す。ディジタル作品販促サーバ１０１はディジタル作品１０２をディジタル作品出版者１０３から受信して、ディジタル作品コピー１０４を通常購入者１０５およびプレミアム購入者１０６に売る。ディジタル作品販促サーバ１０１はディジタル作品出版者１０３、通常購入者１０５、およびプレミアム購入者１０６とネットワーク１００により対話する。一般に、ディジタル作品販促サーバ１０１は、ディジタル作品出版者１０３、通常購入者１０４、およびプレミアム購入者１０６によって従来型のウエブ（ｗｅｂ）ブラウザ経由でアクセス可能なウエブサイトを有するインターネットウエブサーバである。ディジタル作品販促サーバ１０１にアクセスする他の方法として、例えばディジタル作品販促サーバ１０１によって動作されるインターネットサイトへのアクセス専用のコンピュータソフトウエアなども考えられる。
【００１２】
出版者１０３はディジタル作品コピー１０４を売る機能を有する任意のエンティティでよい。例えば、出版者１０３はディジタル作品１０２を創作した音楽家、音楽家の代理人、または音楽出版会社でよい。典型的には出版者１０３は、ディジタル作品コピー１０４の販売からの収入の一部と引き替えにディジタル作品１０２をより広く宣伝したいと思うであろう。
【００１３】
通常購入者１０５もプレミアム購入者１０６も、ディジタル作品販促サーバ１０１のインターネットサイトを用いてディジタル作品コピー１０４を買う一般大衆の任意のメンバでよい。プレミアム購入者１０６と通常購入者１０５との違いは、その「プレミアム」購入の内容がディジタル作品コピー１０４に加えてディジタル作品ポジション（ｐｏｓｉｔｉｏｎ）１０７を含むことである。ディジタル作品ポジション１０７を所有することにより、プレミアム購入者１０６はディジタル作品コピー１０４の将来の販売から報酬を得る権利が与えられる。したがって、典型的なプレミアム購入者１０６はディジタル作品１０２の販売が成功することを期待し、または自分たちの努力によりディジタル作品１０２の販売を成功させることを期待する。ディジタル作品コピー１０４の販売からプレミアム購入者１０６に与えられる報酬は金銭の支払いおよび償還可能なクレジット（商店のクレジットまたはマイレージ・サービスのマイル数など）を含む。或る実施の形態では、ディジタル作品販促サーバ１０１は人の活動がなくても自動的に報酬を与えてよい。
【００１４】
図１および図２はディジタル作品販促サーバ１０１が行う例示の方法２００を示す。ステップ２０１で、ディジタル作品販促サーバ１０１はディジタル作品１０２を出版者１０３から受信する。出版者１０３はネットワーク１００を介してウエブベースのアップロードによりディジタル作品１０２を提供してよい。ディジタル作品１０２の提供の一部として、出版者１０３はディジタル作品１０２に関連する影像およびディジタル作品１０２の説明を提供してよい。出版者１０３はディジタル作品販促サーバ１０１によるディジタル作品１０２の販売方法を検討しまたディジタル作品１０２の販売を開始するディジタル作品販促サーバ１０１を承認してもよい。
【００１５】
ステップ２０２で、ディジタル作品販促サーバ１０１はディジタル作品コピー１０４を売り出してよい。或る例示の実施の形態では、ディジタル作品販促サーバ１０１は、ディジタル作品販促サーバ１０１がそのコピーを売る多くの他のディジタル作品と共に、ディジタル作品１０２をデータベースに追加する。ディジタル作品販促サーバ１０１のインターネットサイトのユーザは、自分が興味を持つディジタル作品を見つけるためにデータベースを探索してよい。
【００１６】
ディジタル作品販促サーバ１０１はディジタル作品コピー１０４の２つのタイプの販売を行ってよい。すなわち、ディジタル作品コピーの通常販売２０３およびディジタル作品コピーのプレミアム販売２０４である。プレミアム販売２０４はディジタル作品コピー１０４に加えてディジタル作品ポジション１０７を含む。ディジタル作品ポジション１０７を含むために、プレミアム販売２０４は通常販売より価格が高いことがある。通常販売２０３の価格をディジタル作品コピー１０４の「通常価格」と呼んでよく、またプレミアム販売２０４の価格を「プレミアム価格」と呼んでよい。通常価格は一般に、ディジタル作品コピー１０４がディジタル作品販促サーバ１０１以外の小売で売られている標準価格でよい。
【００１７】
通常販売およびプレミアム販売における種々の可能な値決め法は、固定価格、ディジタル作品ポジション１０７が売れるほど高くなる可変価格、およびディジタル作品販促サーバ１０１が行う競売により決定される価格などである。購入者は、例えばクレジットカード番号または当座預金口座番号を提供することにより、電子的に購入を行ってよい。
【００１８】
潜在的な購入者がディジタル作品販促サーバ１０１に注意を向けるよう促すために、ディジタル作品販促サーバ１０１はそのインターネットサイトへのビジタに、無作為に選択されたディジタル作品をごく限定された時間（３０秒など）内に値引きで購入できる機会を無作為に提供してよい。この値引きは、通常販売、プレミアム販売、またはビジタが選択する販売のタイプについて行ってよい。
【００１９】
限定された量のディジタル作品ポジション１０７を全ての所定のディジタル作品１０２に関連付ける。ディジタル作品ポジション１０７が完売すると、その後はプレミアム販売を行わない。またディジタル作品ポジション１０７が利用可能なのは或る時間内だけでよい。その時間が過ぎると、固定量が売れたかどうかに関わらずその後はプレミアム販売２０４を行わなくてよい。興味を持つ購入者は通常販売２０３で購入するかプレミアム販売２０４で購入するかを選択することができる。
【００２０】
通常販売２０３またはプレミアム販売２０４で購入すると、購入者はネットワーク１００を通してディジタル作品コピー１０４を受信することができる。ディジタル作品コピー１０４は、ブラウザダウンロード、電子メール、またはディジタル作品コピー１０４を提供する他の手段を介して提供してよい。ユーザが更なるコピーを作るのを防ぐために、ディジタル作品コピー１０４はディジタル権利の管理手段付きで与えてよい。
【００２１】
プレミアム販売２０４により購入すると、プレミアム購入者１０６はディジタル作品１０２のディジタル作品ポジション１０７を受信する。ディジタル作品ポジション１０７は無形（ｉｎｔａｎｇｉｂｌｅ）のものであって、プレミアム購入者１０６のユーザアカウントに関連するディジタル作品サーバ１０１内の記録としてのみ存在してもよい。ディジタル作品ポジション１０７を所有することにより、プレミアムユーザ１０６はディジタル作品コピー１０４の将来の販売から報酬を得る権利が与えられる。ディジタル作品ポジション１０７の中には永久に保有されるものもある。また有限の時間内だけ有効であってそれを過ぎると購入者１０６はプレミアム購入者でなくなり、将来の販売から報酬を得る権利がなくなるものもある。将来の各販売からの報酬は販売から得られる収入の一部でよい（販売からの収入に基づいて計算するか、または販売からの収入に無関係に設定する）。
【００２２】
ステップ２０５で、通常販売２０３でもプレミアム販売２０４でも全ての販売に応じて、ディジタル作品販促サーバ１０１は全てのプレミアム購入者１０６に報酬を与えてよい。プレミアム購入者１０６は、その販売がその特定のプレミアム購入者１０６の努力の結果であったかどうかに関わらず報酬を受けてよい。また、各プレミアム購入者１０６は全ての所定のディジタル作品１０２の１つのディジタル作品ポジション１０７の所有に限定してよい。別の実施の形態では、プレミアム購入者１０６はそのディジタル作品ポジション１０７を所有するディジタル作品１０２に関係のある（しかし同じものでない）作品の販売から報酬を受けてよい。例えば、或るアルバム内の１つの歌のディジタル作品ポジション１０７を所有するプレミアム購入者１０６は、同じアルバム内の他の歌の販売からも報酬を受けてよい。
【００２３】
１つの実施の形態では、ディジタル作品ポジション１０７が完売されていないディジタル作品１０２については、売れ残りのディジタル作品ポジション１０７にすでに割り当てられた収入があれば、現在のプレミアム購入者１０６の間で均等にまたは不均等に分けてよい。別の実施の形態では、この収入はディジタル作品販促サーバ１０１が保有してもよいし、出版者１０３に与えてもよいし、またはこの３つの選択肢の組合せに従って分けてもよい。
【００２４】
またステップ２０５で、全ての販売に応じて、ディジタル作品販促サーバ１０１は販売からの収入の一部を出版者１０３に与える。販売からの収入の残りはディジタル作品販促サーバ１０１が保有する。ディジタル作品販促サーバ１０１が保有する収入はプレミアム購入者１０６に与える報酬の資金にしてよい。
【００２５】
上の記述から明らかなように、ディジタル作品１０２の販売については多くの異なるパラメータを設定してよい。かかるパラメータは、通常販売２０３およびプレミアム販売２０４を行うときの価格を固定価格にするか、可変価格にするか、または競売で決定するかに決める方法、プレミアム販売は通常販売の前に行うかまたは通常販売と同時に行うか、販売してよいディジタル作品コピー１０４の最大数、販売してよいディジタル作品ポジション１０７の最大数、どういう報酬をディジタル作品ポジション１０７の所有に関連付けるか、ディジタル作品ポジション１０７を販売してよい時間の長さ、プレミアム購入者１０６がディジタル作品ポジション１０７を保有してよい時間の長さなどを含むが、これらに限定されない。これらのパラメータの中の一部、ゼロ、または全ては、出版者１０３がステップ２０１でディジタル作品１０２を提供するときに出版者が決定してよい。出版者１０３が決定しないパラメータは全てディジタル作品販促サーバ１０１が決定してよい。
【００２６】
プレミアム購入者１０６はディジタル作品１０２の各販売からの収入の一部を受け取るので、プレミアム購入者１０６はディジタル作品１０２を他の人に販促しようという金銭的刺激を有する。更に、プレミアム購入者１０６はディジタル作品１０２を楽しんでよく、また他の人がディジタル作品１０２を楽しむだろうと信じるかもしれない。したがって、プレミアム購入者１０６はソーシャルメディア、他の電子通信、口コミ情報などによりディジタル作品１０２の購入を他の人に勧めることが期待される。これにより、出版者１０３は販売および市場での宣伝を増やす機会を有する。この機会の見返りとして、ディジタル作品販促サーバ１０１はディジタル作品コピー１０４の販売からの収入の一部を保有してよい。この保有された収入はプレミアム購入者１０６に与える報酬の資金にしてよく、またはプレミアム購入者１０６とディジタル作品販促サーバ１０１との間で分けてよい。
【００２７】
プレミアム購入者１０６がディジタル作品１０２の販促を行うことを更に奨励するため、ディジタル作品販促サーバ１０１はプレミアム購入者１０６が自分のディジタル作品ポジション１０７を売るのを許可してよい。これにより元のプレミアム購入者１０６ではなくてディジタル作品ポジション１０７の購入者がプレミアム購入者１０６になり、ディジタル作品１０２の将来の販売からの報酬を受け取る。したがって、ディジタル作品ポジション１０７の購入者は需要のあるディジタル作品１０２に更に多く支払う可能性があり、ディジタル作品ポジション１０７を売る元のプレミアム購入者１０６に、ディジタル作品１０２の販売を促進してその需要を増やそうとする更なる刺激を与える。ディジタル作品ポジション１０７の所有権（ｏｗｎｅｒｓｈｉｐ）をディジタル作品サーバ１０１が保持する場合は、ディジタル作品サーバ１０１がディジタル作品ポジション１０７をディジタル作品サーバ１０１のユーザの一人から別のユーザに移すときに、単にその記録を修正すればよい。
【００２８】
別の実施の形態では、複数の個人がディジタル作品販促サーバ１０１の個別のユーザのグループを形成してよい。グループはラベル、スタジオ、またはチームと呼んでもよい。グループはそれ自身でディジタル作品ポジション１０７を所有してよく、そのメンバはそのグループのためにディジタル作品ポジション１０７を購入してよい。グループが所有するディジタル作品ポジション１０７からの収入はグループのメンバ間で分けてよい。
【００２９】
グループはディジタル作品の販促に役に立つ。なぜなら、グループはディジタル作品販促サーバ１０１のユーザに相互作用するよう奨励するからである。グループの形成を奨励するために、個別のプレミアム購入者１０６が所有するディジタル作品ポジション１０７の数を制限してよい。例えば、個別のプレミアム購入者１０６には各ディジタル作品１０２内の１つのディジタル作品ポジション１０７だけを所有することを許可してよい。しかしグループが所有してよいディジタル作品ポジション１０７の数は制限しなくてよい。したがって、特定のディジタル作品１０２が将来成功することを強く信じる個人は、他の同じ思いを持つ個人とグループを形成してよい。
【００３０】
ディジタル作品ポジション１０７の所有から得られる報酬に加えて、ディジタル作品販促サーバ１０１は或る活動の刺激として「活動報酬」をユーザに提供してよい。或る活動は、ディジタル作品の視聴および購入、提案、クイズへの回答、ディジタル作品販促サーバ１０１の他の機能の使用、ディジタル作品販促サーバ１０１のインターネットサイトの販促、およびディジタル作品の販促を含む。またディジタル作品販促サーバ１０１はそのユーザ毎に或る活動に対して個別の指示を与えてよく、これらの個別の指示に従うと、他の方法で得るよりも多くの活動報酬を得る機会をユーザに与えてよい。
【００３１】
活動報酬はポイントシステムにより与えてよい。この場合は、ユーザが活動するとユーザにポイントが与えられ、報酬に関連する所定のポイント数がたまるとユーザは各報酬を受け取る。例えば、他の個人とグループを形成しまたは結合する能力は或るポイント数を必要とする報酬である。またディジタル作品販促サーバ１０１のユーザをいくつかのレベルに分類してよく、ポイントがたまるとユーザが一層高いレベルに上がることを許可してよい。この上がること自体を活動報酬と考えてよい。
【００３２】
本発明の種々の実施の形態を記述したが、理解されるように、これらの実施の形態は本質的に例示であって制限するものではなく、これまでの開示について広範囲の変更、修正、改善および代替が考えられ、或る場合には、本発明の或る機能は他の機能の対応する使用なしに用いることができる。多くのかかる変更および修正は、種々の実施の形態のこれまでの記述を検討すれば、当業者は望ましいと考えるであろう。
【図１】
2013524353.tif 000003
【図２】
2013524353.tif 000004
【国際調査報告】
2013524353.tif 000005